(57)【要約】【課題】複数の発光素子による照明のムラを抑えつつ、光の損失を効果的に低減することが可能な照明装置を提供する。【解決手段】各制御反射領域７３−２のいずれについても、制御反射領域７３−２の中央で入射光量が最も高くなって、制御反射領域７３−２の中央から離れるほど入射光量が徐々に低くなるが、制御反射領域７３−２の中央で反射率が最も低く、制御反射領域７３−２の中央から離れるほど反射率が高くなるので、制御反射領域７３−２全体の反射光量が略一様になる。また、各ＬＥＤ７６間のスペースの対向位置にそれぞれの正反射領域７３−１があり、各正反射領域７３−１が一様な反射率を有することから、各ＬＥＤ７６から反射板７３の正反射領域７３−１に入射した入射光量の分布と、正反射領域７３−１で反射されて原稿の読取り基準位置に入射した光量の分布とが略一致する。【選択図】図１０
2011151477.tif 000002
【特許請求の範囲】
【請求項１】
列設された複数の発光素子と、前記各発光素子からの光を被照射体に向けて反射する反射部材とを備えた照明装置であって、
前記反射部材の光反射面は、該光反射面に対する前記各発光素子からの入射光量の分布に応じて光反射率もしくは光拡散状態が変更された複数の反射領域を有することを特徴とする照明装置。
【請求項２】
請求項１に記載の照明装置であって、
前記反射部材の光反射面の各反射領域は、前記各発光素子の対向位置及び非対向位置にあることを特徴とする照明装置。
【請求項３】
請求項１又は２に記載の照明装置であって、
前記反射部材の光反射面の相互に隣り合う各反射領域間では、光反射率もしくは光拡散状態が徐々に変更されたことを特徴とする照明装置。
【請求項４】
請求項１〜３のいずれか１つに記載の照明装置であって、
前記反射部材の光反射面の反射領域の光反射率もしくは光拡散状態は、前記反射領域に対する印刷処理により設定されたことを特徴とする照明装置。
【請求項５】
請求項１〜３のいずれか１つに記載の照明装置であって、
前記反射部材の光反射面の反射領域の光反射率もしくは光拡散状態は、前記各反射領域に対するエッチング処理又はサンドプラスト処理により設定されたことを特徴とする照明装置。
【請求項６】
請求項１〜５のいずれか１つに記載の照明装置であって、
前記各発光素子からの光が入射する導光部材を備え、
前記導光部材は、前記各発光素子からの光を前記反射部材に導いて入射させ、かつ各発光素子からの光を前記被照射体に直接導いて入射させることを特徴とする照明装置。
【請求項７】
請求項１〜６のいずれか１つに記載の照明装置を備える画像読取り装置。
【請求項８】
請求項７に記載の画像読取り装置を備える画像形成装置。
【発明の詳細な説明】
【技術分野】
【０００１】
本発明は、原稿等の被照射体を照明する照明装置、その照明装置を備える画像読取り装置、その画像読取り装置を備える画像形成装置に関する。
【背景技術】
【０００２】
この種の照明装置は、例えば画像読取り装置に搭載されて用いられるものであって、原稿を読取るときの主走査方向と平行に列設された複数の発光素子（例えばＬＥＤ）を備え、これらの発光素子により原稿を照明する。画像読取り装置は、照明装置により照明されている原稿を主走査方向に沿って繰り返し走査しつつ、原稿を副走査方向にも走査して、原稿全体を読取る。この読取られた原稿の画像は、プリンター等に出力されて、記録用紙に記録される。
【０００３】
このような照明装置においては、複数の発光素子を用いているが、発光素子の指向性が狭く、発光素子の光軸方向の光強度が高くて、光軸から外れるほど光強度が低下することから、照明ムラが生じ易い。
【０００４】
このため、特許文献１では、発光素子単体での光量Ａ及び全ての発光素子の光量Ｂの相関関係を規定すると共に、発光素子の照射角α、各発光素子のピッチＰ、及び発光素子から原稿までの距離Ｈの相関関係を規定して、照明ムラを低減させている。
【０００５】
また、特許文献２では、発光素子からの光を導光板に入射させて、この導光板により光の拡散を一旦抑えてから、導光板から出射された光を光拡散部材で拡散させて、この拡散光により原稿を照明し、照明ムラと光の損失を抑えている。
【先行技術文献】
【特許文献】
【０００６】
【特許文献１】特開２００８−１９７４３２号公報
【特許文献２】特開２００８−１８０８４１号公報
【発明の概要】
【発明が解決しようとする課題】
【０００７】
しかしながら、特許文献１では、各光量Ａ、Ｂの相関関係を規定すると共に、照射角α、ピッチＰ、及び距離Ｈの相関関係を規定しているので、照明装置の設計の自由度が低くなり、好ましくなかった。
【０００８】
また、特許文献２では、導光板により光の拡散を一旦抑えていても、導光板から出射された光の全てを光拡散部材で拡散させているので、拡散による光の損失を効果的に低減しているとはいえなかった。
【０００９】
そこで、本発明は、上記従来の問題点に鑑みなされたものであり、複数の発光素子による照明のムラを抑えつつ、光の損失を効果的に低減することが可能な照明装置、その照明装置を備える画像読取り装置、その画像読取り装置を備える画像形成装置を提供することを目的とする。
【課題を解決するための手段】
【００１０】
上記課題を解決するために、本発明の照明装置は、列設された複数の発光素子と、前記各発光素子からの光を被照射体に向けて反射する反射部材とを備えた照明装置であって、前記反射部材の光反射面は、該光反射面に対する前記各発光素子からの入射光量の分布に応じて光反射率もしくは光拡散状態が変更された複数の反射領域を有している。
【００１１】
このような本発明では、各発光素子の光を反射部材で反射して被照射体に照射するという構成の上で、反射部材の光反射面の各反射領域別に、光反射率もしくは光拡散状態を変更して設定している。このため、入射光量が大きい反射領域では、光反射率を低くして、この反射領域で反射されて被照射体に入射する光量を低減させたり、光拡散の度合いを大きくして、この反射領域で反射された光による被照射体の照明範囲を広くすることができる。また、入射光量が小さい反射領域では、光反射率を高くして、この反射領域で反射されて被照射体に入射する光量の低減を抑えたり、光拡散の度合いを小さくして、この反射領域で反射された光の損失を低く抑えることができる。これにより、複数の発光素子による照明のムラを抑えつつ、光の損失を効果的に低減することができる。
【００１２】
また、本発明の照明装置においては、前記反射部材の光反射面の各反射領域は、前記各発光素子の対向位置及び非対向位置にある。
【００１３】
各発光素子の対向位置にあるそれぞれの反射領域では、入射光量が大きくなる。このため、これらの反射領域の光反射率を低くして、これらの反射領域で反射されて被照射体に入射する光量を低減したり、これらの反射領域の光拡散の度合いを高くして、これらの反射領域で反射された光による被照射体の照明範囲を広くするのがよい。また、各発光素子の非対向位置にあるそれぞれの反射領域では、入射光量が小さくなるので、これらの反射領域の光反射率を高くして、これらの反射領域で反射されて被照射体に入射する光量の低減を抑えたり、これらの反射領域の光拡散の度合いを低くして、これらの反射領域で反射された光の損失を低く抑えるのがよい。
【００１４】
また、本発明の照明装置においては、前記反射部材の光反射面の相互に隣り合う各反射領域間では、光反射率もしくは光拡散状態が徐々に変更されている。
【００１５】
これにより、それらの反射領域で反射されたそれぞれの光による被照射体の照明レベルが急激に変動することがなくなり、これらの反射領域の設定が照明ムラの原因になることが防止される。
【００１６】
また、本発明の照明装置においては、前記反射部材の光反射面の反射領域の光反射率もしくは光拡散状態は、前記反射領域に対する印刷処理により設定される。あるいは、前記反射部材の光反射面の反射領域の光反射率もしくは光拡散状態は、前記各反射領域に対するエッチング処理又はサンドプラスト処理により設定される。
【００１７】
また、本発明の照明装置においては、前記各発光素子からの光が入射する導光部材を備え、前記導光部材は、前記各発光素子からの光を前記反射部材に導いて入射させ、かつ各発光素子からの光を前記被照射体に直接導いて入射させる。
【００１８】
この場合は、各発光素子から導光部材を通じて被照射体へと直接導いた光により、被照射体を明るく照明することができる。ただし、照明ムラが生じ易い。そこで、この照明ムラが解消されるように反射部材の光反射面の各反射領域の光反射率もしくは光拡散状態を設定すれば、被照射体を明るく照明しながらも、照明ムラを抑えることができる。
【００１９】
一方、本発明の画像読取り装置は、上記本発明の照明装置を備えている。
【００２０】
また、本発明の画像形成装置は、上記本発明の画像読取り装置を備えている。
【００２１】
このような本発明の画像読取り装置及び画像形成装置においても、上記本発明の照明装置と同様の作用効果を奏する。
【発明の効果】
【００２２】
このような本発明では、複数の発光素子からの光を反射板で反射して被照射体に入射させている。そして、反射部材の光反射面は、該光反射面に対する各発光素子からの入射光量の分布に応じて光反射率もしくは光拡散状態が変更された反射領域を有している。このため、入射光量が大きい反射領域では、光反射率を低くして、この反射領域で反射されて被照射体に入射する光量を低減したり、光拡散の度合いを高くして、この反射領域で反射された光による被照射体の照明範囲を広くすることができる。また、入射光量が小さい反射領域では、光反射率を高くして、この反射領域で反射されて被照射体に入射する光量の低減を抑えたり、光拡散の度合いを低くして、この反射領域で反射された光の損失を低く抑えることができる。これにより、複数の発光素子による照明のムラを抑えつつ、光の損失を効果的に低減することができる。
【図面の簡単な説明】
【００２３】
【図１】本発明の照明装置の一実施形態を適用した画像読取り装置を備える画像形成装置を示す断面図である。
【図２】図１の画像読取り装置及び原稿搬送装置を拡大して示す断面図である。
【図３】画像読取り装置における第１走査ユニットを概略的に示す断面図である。
【図４】図３の第１走査ユニットを概略的に示す斜視図である。
【図５】図３の第１走査ユニットの照明装置による照明状態を示す断面図である。
【図６】本の照明状態を示す図である。
【図７】原稿の後端部の照明状態を示す図である。
【図８】（ａ）は、反射板の正反射領域及び制御反射領域を模式的に示す図であり、（ｂ）は、ＬＥＤアレイの各ＬＥＤを示す平面図である。
【図９】図８の反射板の制御反射領域に印刷されたパターンを例示する図である。
【図１０】（ａ）は、図８（ａ）の反射板の正反射領域及び制御反射領域を模式的に示す図であり、（ｂ）は、ＬＥＤアレイの各ＬＥＤを示す平面図であり、（ｃ）は、各ＬＥＤから反射板に入射した入射光量の分布を示すグラフであり、（ｄ）は、反射板で反射されて原稿に入射した入射光量の分布を示すグラフである。
【図１１】（ａ）は、第１変形例の反射板の第１制御反射領域及び第２制御反射領域を模式的に示す図であり、（ｂ）は、ＬＥＤアレイの各ＬＥＤを示す平面図であり、（ｃ）は、各ＬＥＤから反射板に入射した入射光量の分布を示すグラフであり、（ｄ）は、反射板で反射されて原稿に入射した入射光量の分布を示すグラフである。
【図１２】（ａ）は、第２変形例の反射板の第１制御反射領域及び第２制御反射領域を模式的に示す図であり、（ｂ）は、ＬＥＤアレイの各ＬＥＤを示す平面図であり、（ｃ）は、各ＬＥＤから反射板に入射した入射光量の分布を示すグラフであり、（ｄ）は、反射板で反射されて原稿に入射した入射光量の分布を示すグラフである。
【図１３】（ａ）は、原稿の読取り基準位置に入射した全ての入射光量の分布を示すグラフであり、（ｂ）は、各ＬＥＤから反射板の反射面に入射した入射光量の分布を反転させてなる入射光量ｑの分布を示すグラフであり、（ｃ）は、直線的な直接経路から原稿の読取り基準位置に入射した入射光量ｐの分布を示すグラフである。
【図１４】（ａ）は、第３変形例の反射板の正反射領域及び制御反射領域を模式的に示す図であり、（ｂ）は、ＬＥＤアレイの各ＬＥＤを示す平面図であり、（ｃ）は、各ＬＥＤから反射板に入射した入射光量の分布を示すグラフであり、（ｄ）は、反射板で反射されて原稿に入射した入射光量の分布を示すグラフである。
【図１５】（ａ）は、図１４（ａ）の制御反射領域を拡大して示す平面図であり、（ｂ）は、図１５（ａ）のＡ−Ａに沿う断面図である。
【発明を実施するための形態】
【００２４】
以下、本発明の実施形態を添付図面を参照して詳細に説明する。
【００２５】
図１は、本発明の照明装置の一実施形態を適用した画像読取り装置を備える画像形成装置を示す断面図である。この画像形成装置１００は、スキャナ機能、複写機能、プリンター機能、及びファクシミリ機能等を有する所謂複合機であり、画像読取り装置４１により読取られた原稿の画像を外部に送信したり（スキャナ機能に相当する）、この読取られた原稿の画像又は外部から受信した画像をカラーもしくは単色で記録用紙に記録形成する（複写機能、プリンター機能、及びファクシミリ機能に相当する）。
【００２６】
この画像形成装置１００は、画像を記録用紙に印刷するべく、レーザ露光装置１、現像装置２、感光体ドラム３、帯電器５、クリーナ装置４、中間転写ベルト装置８、定着装置１２、用紙搬送経路Ｓ、給紙トレイ１０、及び用紙排出トレイ１５等を備えている。
【００２７】
画像形成装置１００において扱われる画像データは、ブラック（Ｋ）、シアン（Ｃ）、マゼンタ（Ｍ）、イエロー（Ｙ）の各色を用いたカラー画像に応じたもの、又は単色（例えばブラック）を用いたモノクロ画像に応じたものである。このため、現像装置２、感光体ドラム３、帯電器５、及びクリーナ装置４は、各色に応じた４種類のトナー像を形成するようにそれぞれ４個ずつ設けられ、それぞれがブラック、シアン、マゼンタ、及びイエローに対応付けられて、４つの画像ステーションＰａ、Ｐｂ、Ｐｃ、Ｐｄが構成されている。
【００２８】
各感光体ドラム３は、それらの表面に光感光層を有している。各帯電器５は、それぞれの感光体ドラム３の表面を所定の電位に均一に帯電させるための帯電手段であり、接触型であるローラ型やブラシ型の帯電器のほか、チャージャー型の帯電器が用いられる。
【００２９】
レーザ露光装置１は、レーザダイオード及び反射ミラーを備えたレーザスキャニングユニット（ＬＳＵ）であり、帯電された各感光体ドラム３表面を画像データに応じて露光して、それらの表面に画像データに対応する静電潜像を形成する。
【００３０】
各現像装置２は、それぞれの感光体ドラム３表面に形成された静電潜像を各色のトナーにより現像し、これらの感光体ドラム３表面にトナー像を形成する。各クリーナ装置４は、現像及び画像転写後にそれぞれの感光体ドラム３表面に残留したトナーを除去及び回収する。
【００３１】
中間転写ベルト装置８は、各感光体ドラム３の上方に配置されており、中間転写ベルト７、中間転写ベルト駆動ローラ２１、従動ローラ２２、４つの中間転写ローラ６、及び中間転写ベルトクリーニング装置９を備えている。
【００３２】
中間転写ベルト７は、厚さ１００μｍ〜１５０μｍ程度のフィルムを無端ベルト状に形成したものである。中間転写ベルト駆動ローラ２１、各中間転写ローラ６、従動ローラ２２等は、中間転写ベルト７を張架して支持し、中間転写ベルト７を矢印Ｃ方向に周回移動させる。
【００３３】
各中間転写ローラ６は、中間転写ベルト７近傍に回転可能に支持され、中間転写ベルト７を介してそれぞれの感光体ドラム３に押圧されている。
【００３４】
各感光体ドラム３表面のトナー像が中間転写ベルト７に順次重ねて転写されて、中間転写ベルト７上にカラーのトナー像（各色のトナー像）が形成される。各感光体ドラム３から中間転写ベルト７へのトナー像の転写は、中間転写ベルト７裏面に圧接されている各中間転写ローラ６によって行われる。各中間転写ローラ６は、直径８〜１０ｍｍの金属（例えばステンレス）軸をベースとし、その表面が導電性の弾性材（例えばＥＰＤＭ、発泡ウレタン等）により覆われたローラである。各中間転写ローラ６には、トナー像を転写するために高電圧の転写バイアス（トナーの帯電極性（−）とは逆極性（＋）の高電圧）が印加されており、その導電性の弾性材により高電圧が記録用紙に対して均一に印加される。
【００３５】
こうして各感光体ドラム３表面のトナー像は、中間転写ベルト７で積層され、画像データによって示されるカラーのトナー像となる。このカラーのトナー像は、中間転写ベルト７と共に搬送され、中間転写ベルト７と２次転写装置１１の転写ローラ１１ａ間のニップ域で記録用紙上に転写される。
【００３６】
２次転写装置１１の転写ローラ１１ａには、中間転写ベルト７上の各色のトナー像を記録用紙に転写させるための電圧（トナーの帯電極性（−）とは逆極性（＋）の高電圧）が印加されている。また、中間転写ベルト７と２次転写装置１１の転写ローラ１１ａ間のニップ域を定常的に得るために、２次転写装置１１の転写ローラ１１ａもしくは中間転写ベルト駆動ローラ２１の何れか一方を硬質材料（金属等）とし、他方を弾性ローラ等の軟質材料（弾性ゴムローラ、または発泡性樹脂ローラ等）としている。
【００３７】
また、２次転写装置１１によって中間転写ベルト７上のトナー像が記録用紙上に完全に転写されず、中間転写ベルト７上にトナーが残留することがあり、この残留トナーが次工程でトナーの混色を発生させる原因となる。このため、中間転写ベルトクリーニング装置９によって残留トナーを除去及び回収する。中間転写ベルトクリーニング装置９には、例えばクリーニング部材として、中間転写ベルト７に接触して残留トナーを除去するクリーニングブレードが設けられており、クリーニングブレードが接触する部位で、従動ローラ２２により中間転写ベルト７裏側が支持されている。
【００３８】
記録用紙は、中間転写ベルト７と２次転写装置１１の転写ローラ１１ａ間のニップ域でカラーのトナー像を転写された後、定着装置１２へと搬送される。定着装置１２は、加熱ローラ３１及び加圧ローラ３２等を備えており、加熱ローラ３１と加圧ローラ３２間に記録用紙を挟み込んで搬送する。
【００３９】
加熱ローラ３１は、図示しない温度検出器の検出出力に基づき、所定の定着温度となるように制御されており、加圧ローラ３２と共に記録用紙を熱圧着することにより、記録用紙に転写されたカラーのトナー像を溶融、混合、圧接し、記録用紙に対して熱定着させる。
【００４０】
一方、給紙トレイ１０は、記録用紙を格納しておくためのトレイであり、画像形成装置１００の下部に設けられて、トレイ内の記録用紙を供給する。
【００４１】
画像形成装置１００には、給紙トレイ１０から供給された記録用紙を２次転写装置１１や定着装置１２を経由させて用紙排出トレイ１５に送るための、Ｓの字形状の用紙搬送経路Ｓが設けられている。この用紙搬送経路Ｓに沿って、用紙ピックアップローラ１６、用紙レジストローラ１４、定着装置１２、搬送ローラ１３、及び排紙ローラ１７等が配置されている。
【００４２】
用紙ピックアップローラ１６は、給紙トレイ１０の端部に設けられ、給紙トレイ１０から記録用紙を１枚ずつ用紙搬送経路Ｓに供給する呼び込みローラである。搬送ローラ１３は、記録用紙の搬送を促進補助するための小型のローラであり、複数組設けられている。
【００４３】
用紙レジストローラ１４は、搬送されて来た記録用紙を一旦停止させて、記録用紙の先端を揃え、中間転写ベルト７と２次転写装置１１の転写ローラ１１ａ間のニップ域で中間転写ベルト７上のカラーのトナー像が記録用紙に転写されるように、各感光体ドラム３及び中間転写ベルト７の回転にあわせて、記録用紙をタイミングよく搬送する。
【００４４】
例えば、用紙レジストローラ１４は、図示しないレジスト前検知スイッチの検出出力に基づき、中間転写ベルト７と２次転写装置１１の転写ローラ１１ａ間のニップ域で中間転写ベルト７上のカラーのトナー像の先端が記録用紙の画像形成領域の先端に合うように、記録用紙を搬送する。
【００４５】
更に、記録用紙は、定着装置１２でカラーのトナー像を定着され、定着装置１２を通過した後、排紙ローラ１７によって用紙排出トレイ１５上にフェイスダウンで排出される。
【００４６】
また、記録用紙の表面だけではなく、裏面の印字を行う場合は、記録用紙を用紙搬送経路Ｓの排紙ローラ１７により搬送する途中で、排紙ローラ１７を停止させてから逆回転させ、記録用紙を反転経路Ｓｒに通して、記録用紙の表裏を反転させ、記録用紙をレジストローラ１４へと導き、記録用紙の表面と同様に、記録用紙の裏面に画像を記録して定着し、記録用紙を用紙排紙トレイ１５に排出する。
【００４７】
次に、画像読取り装置４１及び原稿搬送装置４２を詳しく説明する。図２は、画像読取り装置４１及び原稿搬送装置４２を拡大して示す断面図である。
【００４８】
原稿搬送装置４２は、その奥一辺をヒンジ（図示せず）により画像読取り装置４１の奥一辺に枢支され、その手前部分を上下させることにより開閉される。原稿搬送装置４２が開かれたときには、画像読取り装置４１のプラテンガラス４４が開放され、このプラテンガラス４４上に原稿が載置される。
【００４９】
画像読取り装置４１は、プラテンガラス４４、第１走査ユニット４５、第２走査ユニット４６、結像レンズ４７、及びＣＣＤ（Charge Coupled Device）４８等を備えている。第１走査ユニット４５は、照明装置５１及び第１反射ミラー５２を備えており、副走査方向Ｙへと原稿サイズに応じた距離だけ一定速度Ｖで移動しながら、プラテンガラス４４上の原稿を照明装置５１によって露光し、その反射光を第１反射ミラー５２により反射して第２走査ユニット４６へと導き、これにより原稿表面の画像を副走査方向Ｙに走査する。第２走査ユニット４６は、第２及び第３反射ミラー５３、５４を備えており、第１走査ユニット４５に追従して速度Ｖ／２で移動しつつ、原稿からの反射光を第２及び第３反射ミラー５３、５４により反射して結像レンズ４７へと導く。結像レンズ４７は、原稿からの反射光をＣＣＤ４８に集光して、原稿表面の画像をＣＣＤ４８上に結像させる。ＣＣＤ４８は、原稿の画像を繰り返し主走査方向に走査し、その度に、１主走査ラインのアナログ画像信号を出力する。
【００５０】
第１及び第２走査ユニット４５、４６には、それぞれのプーリー（図示せず）が設けられており、これらのプーリーにワイヤー（図示せず）が架け渡され、このワイヤーがステッピングモータにより駆動されて、第１及び第２走査ユニット４５、４６が同期移動される。
【００５１】
また、画像読取り装置４１は、静止原稿だけではなく、原稿搬送装置４２により搬送されている原稿表面の画像を読取ることができる。この場合は、図２に示すように第１走査ユニット４５を原稿読取りガラス６５下方の読取り範囲に移動させ、第１走査ユニット４５の位置に応じて第２走査ユニット４６を位置決めし、この状態で、原稿搬送装置４２による原稿の搬送を開始する。
【００５２】
原稿搬送装置４２では、ピックアップローラ５５を原稿トレイ５６上の原稿に押し当て回転させて、原稿を引き出して搬送し、原稿の先端をレジストローラ６２に突き当てて、この原稿の先端を揃えてから、原稿を原稿読取りガラス６５と読取りガイド板６６間に通過させ、原稿を排紙ローラ５８から排紙トレイ４９へと排出する。
【００５３】
この原稿の搬送に際し、第１走査ユニット４５の照明装置５１により原稿表面を原稿読取りガラス６５を介して照明し、原稿表面からの反射光を第１及び第２走行ユニット４５、４６の各反射ミラーにより結像レンズ４７へと導き、原稿表面からの反射光を結像レンズ４７によりＣＣＤ４８に集光させ、原稿表面の画像をＣＣＤ４８上に結像させ、これにより原稿表面の画像を読取る。
【００５４】
また、原稿の裏面を読取る場合は、中間トレイ６７をその軸６７ａ周りで点線で示すように回転させておき、原稿を排紙ローラ５８から排紙トレイ４９へと排出する途中で、排紙ローラ５８を停止させて、原稿を中間トレイ６７上に受け、排紙ローラ５８を逆回転させて、原稿を反転搬送路６８を介してレジストローラ６２へと導いて、原稿の表裏を反転させ、原稿表面の画像と同様に、原稿裏面の画像を読取り、中間トレイ６７を実線で示す元の位置に戻して、原稿を排紙ローラ５８から排紙トレイ４９へと排出する。
【００５５】
こうしてＣＣＤ４８により読取られた原稿表面の画像は、ＣＣＤ４８からアナログ画像信号として出力され、このアナログ画像信号がデジタル画像信号にＡ／Ｄ変換される。そして、このデジタル画像信号は、種々の画像処理を施されてから画像形成装置１００のレーザ露光装置１へと送受され、画像形成装置１００において画像が記録用紙に記録され、この記録用紙が複写原稿として出力される。
【００５６】
ところで、プラテンガラス４４又は原稿読取りガラス６５上の原稿を第１走査ユニット４５の照明装置５１により照明しているが、この照明装置５１のＬＥＤアレイ７１の出射光の殆どを原稿に入射させて、光の損失を低減させるのが望ましい。
【００５７】
また、ＬＥＤアレイ７１は、後で詳しく述べるように複数のＬＥＤを列設したものであるが、各ＬＥＤの指向性が狭くて、照明ムラが生じ易いので、この照明ムラを抑えるのが望ましい。
【００５８】
そこで、本実施形態の照明装置５１では、ＬＥＤアレイ７１の出射光を原稿側に直接導くと共に反射板７３へと導く導光部材７２と、導光部材７２により導かれて来た光を原稿側に反射させる反射板７３とを設け、これによりＬＥＤアレイ７１の出射光の殆どを原稿に入射させて、光の損失を低減させている。
【００５９】
また、反射板７３の光反射面を複数の反射領域に区分して、これらの反射領域の光反射率もしくは光拡散状態を適宜に設定し、反射領域毎に、反射領域で反射されて被照射体に入射する光量を増減したり、光拡散の度合いを変更し、これにより光の損失を低減させかつ照明ムラを抑えている。
【００６０】
次に、本実施形態の照明装置５１の構成を詳しく説明する。図３は、第１走査ユニット４５を概略的に示す断面図である。また、図４は、第１走査ユニット４５を概略的に示す斜視図である。
【００６１】
図３及び図４から明らかなように、第１走査ユニット４５は、照明装置５１、第１反射ミラー５２、及び移動フレーム７４を備えている。移動フレーム７４には照明装置５１及び第１反射ミラー５２が搭載され、この移動フレーム７４の両端が滑動自在に支持されて、プーリー、ワイヤー、及びステッピングモータにより移動フレーム７４が副走査方向Ｙに移動される。
【００６２】
照明装置５１は、基板７５、基板７５上に搭載されたＬＥＤアレイ７１、基板７５に固定支持された導光部材７２、及び反射板７３を備えている。これらの基板７５、ＬＥＤアレイ７１、導光部材７２、及び反射板７３のいずれも、それらの長手方向が原稿ＭＳを読取るときの主走査方向Ｘに沿うように配置され、この主走査方向Ｘの読取り範囲と同程度の長さを有する。
【００６３】
ＬＥＤアレイ７１は、基板７５上で主走査方向Ｘに列設された複数のＬＥＤ７６からなる。各ＬＥＤ７６が基板７５の配線パターンに接続され、基板７５の配線パターンがハーネス（図示せず）を通じて移動走査フレーム７４に搭載のドライバ回路（図示せず）に接続されている。このドライバ回路は、ハーネス及び基板７５の配線パターンを通じて各ＬＥＤ７６へと電力を供給し、各ＬＥＤ７６を点灯及び消灯制御する。
【００６４】
導光部材７２は、透光性を有するガラス又は合成樹脂からなり、プラテンガラス４４及び原稿読取りガラス６５の表面における原稿読取り位置を中心とする照明範囲ｋとＬＥＤアレイ７１との間に配置された直接出射部７７、及び反射板７３とＬＥＤアレイ７１との間に配置された間接出射部７８を有している。直接出射部７７及び間接出射部７８は、相互に連結されて一体化されており、これらの出射部７７、７８により基板７５の表面側が覆われている。直接出射部７７は、基板７５の斜め上方、つまり照明範囲ｋの側を覆い、また間接出射部７８は、基板７５の左方、つまり反射板７３側を覆っている。
【００６５】
間接出射部７８は、その内側に段差部７８ａを有しており、この段差部７８ａが基板７５の一端に当接して、この間接出射部７８が基板７５に固定支持されている。また、直接出射部７７の左端側が間接出射部７８に連結され、その右端７７ａの脚部７７ｂが基板７５上に載せられて固定され、この直接出射部７７が基板７５に固定支持されている。
【００６６】
直接出射部７７及び間接出射部７８の内側面（ＬＥＤアレイ７１に向く光入射面）は平坦面である。直接出射部７７及び間接出射部７８の光入射面がＬＥＤアレイ７１周りの相互に異なる位置に配置され、これらの光入射面がなす内角側にＬＥＤアレイ７１が配置されている。ここでは、内角を各光入射面がなす１８０°未満の角度とする。
【００６７】
また、直接出射部７７及び間接出射部７８の外側面（照明範囲ｋ及び反射板７３に向く光出射面）は凸面である。これらの出射部７７、７８の外側の凸面は、出射部７７を透過した光及び出射部７８を透過して反射板７３で反射された光を照明範囲ｋに集光させるために形成されている。
【００６８】
また、ＬＥＤアレイ７１と反射板７３の間が主走査方向Ｘに沿うスリットＳｔとなっており、このスリットＳｔの真上に照明範囲ｋが設定され、このスリットＳｔの直下に第１反射ミラー５２が位置決めされている。導光部材７２は、スリットＳｔに対してＬＥＤアレイ７１側に設けられている。
【００６９】
ＬＥＤアレイ７１の各ＬＥＤ７６の光出射面７６ａは、反射板７３側に向いており、各ＬＥＤ７６の光軸が左方向に向いている。各ＬＥＤ７６の光の出射範囲は、各ＬＥＤ７６の光軸を中心として、この光軸からいずれの方向にも略９０°までである。また、基板７５の表面が白色にされており、この基板７５の表面で各ＬＥＤ７６の出射光が反射される。このため、各ＬＥＤ７６の光の殆どが、基板７５の表面と基板７５表面に直交して各ＬＥＤ７６を通る垂直面との間に挟まれる９０°の範囲αに出射される。
【００７０】
また、反射板７３は、第１及び第２反射面７３ａ、７３ｂを有している。第１及び第２反射面７３ａ、７３ｂは、ＬＥＤアレイ７１からの出射光を照明範囲ｋへと反射し得るように上方に向けて傾斜されている。また、第１反射面７３ａに対して第２反射面７３ｂを僅かに屈曲させて、第２反射面７３ｂの向きを変更している。
【００７１】
更に、第１反射ミラー５２は、主走査方向と平行にかつ走査面（プラテンガラス４４及び原稿読取りガラス６５の表面）に対して４５°傾斜して配置されている。
【００７２】
このような構成の照明装置５１においては、図５に示すように基板７５上のＬＥＤアレイ７１が発光すると、ＬＥＤアレイ７１からの出射光が、導光部材７２の直接出射部７７の光入射面に入射し、この直接出射部７７を透過して、直接出射部７７の外側の凸面により集光され、プラテンガラス４４及び原稿読取りガラス６５の表面における照明範囲ｋへと入射する。
【００７３】
このＬＥＤアレイ７１から直接出射部７７を介して照明範囲ｋまでの光の経路を直接経路Ｄとすると、この直接経路Ｄは、ＬＥＤアレイ７１から照明範囲ｋまでの最短の直線的な経路であり、この直接経路Ｄを経由した光により照明範囲ｋが照明される。
【００７４】
また、ＬＥＤアレイ７１からの出射光が、導光部材７２の間接出射部７８の光入射面に入射し、この間接出射部７８を透過して、間接出射部７８の外側の凸面により集光され、反射板７３の第１反射面７３ａに入射して、第１反射面７３ａで反射され、照明範囲ｋに入射する。
【００７５】
このＬＥＤアレイ７１から間接出射部７８及び第１反射面７３ａを介して照明範囲ｋまでの光の経路を第１間接経路ｄａとすると、この第１間接経路ｄａは、第１反射面７３ａで屈曲されて、直接経路Ｄよりも長くされた経路である。この第１間接経路ｄａを経由した光によっても照明範囲ｋが照明される。
【００７６】
更に、ＬＥＤアレイ７１からの出射光が、導光部材７２の間接出射部７８を透過して、間接出射部７８の外側の凸面により集光され、反射板７３の第２反射面７３ｂに入射して、第２反射面７３ｂで反射され、プラテンガラス４４及び原稿読取りガラス６５の表面よりも上方５ｍｍの位置における照明範囲ｋsに入射する。
【００７７】
このＬＥＤアレイ７１から間接出射部７８及び第２反射面７３ｂを介して照明範囲ｋまでの光の経路を第２間接経路ｄｂとすると、この第２間接経路ｄｂも、第２反射面７３ｂで屈曲されて、直接経路Ｄよりも長くされた経路である。この第２間接経路ｄｂを経由した光は、プラテンガラス４４及び原稿読取りガラス６５の表面よりも上方５ｍｍの位置における照明範囲ｋsを照明する。この上方５ｍｍの位置の照明範囲ｋsは、先に述べたように第１反射面７３ａに対して第２反射面７３ｂを僅かに屈曲させることにより設定されている。
【００７８】
従って、プラテンガラス４４及び原稿読取りガラス６５の表面における原稿読取り位置を中心とする照明範囲ｋは、直接出射部７７を透過して形成される直線的な直接経路Ｄの光により照明されると共に、間接出射部７８を透過し反射板７３の第１反射面７３ａで反射されて形成される第１間接経路ｄａの光により照明される。このため、原稿ＭＳの表面は、強い光で照明される。
【００７９】
また、プラテンガラス４４及び原稿読取りガラス６５の表面よりも５ｍｍ高い位置における照明範囲ｋsは、間接出射部７８を透過し反射板７３の第２反射面７３ｂで反射されて形成される第２間接経路ｄｂの光により照明される。このため、原稿表面がプラテンガラス４４及び原稿読取りガラス６５の表面から浮いていても、この表面が照明される。例えば、図６に示すように本を開いてプラテンガラス４４上に置いた状態では、本の綴じた箇所ＭＳ１で各頁がプラテンガラス４４から浮くが、この浮いた各頁にも第２間接経路ｄｂの光が届いて、この浮いた各頁が照明される。
【００８０】
更に、直接出射部７７を透過して照明範囲ｋに入射する光の入射方向と反射板７３で反射されて照明範囲ｋに入射する光の入射方向とが異なる。このため、例えば図７に示すように原稿ＭＳの後端部ｍが照明範囲ｋにあって、反射板７３の第１反射面７３ａで反射された光が原稿ＭＳの後端部ｍに入射して、後端部ｍの影が生じる状況でも、直接出射部７７を透過した光の入射によりその影が消失する。すなわち、原稿ＭＳの後端部ｍが前後方向からの光により照射されるので、原稿ＭＳの後端部ｍの影が生じず、ＣＣＤ４８により読取られた原稿画像に影が生じることもない。
【００８１】
また、図３及び図４に示すように直接出射部７７がＬＥＤアレイ７１の斜め上方を覆い、また間接出射部７８がＬＥＤアレイ７１の左方を覆っているので、角度９０°の範囲αにおけるＬＥＤアレイ７１の出射光の殆どが第１及び第２光路Ｄ、ｄを経由して照明範囲ｋへと入射する。このため、光の損失が低く抑えられる。
【００８２】
更に、基板７５の表面を白色面としているので、基板７５の表面で反射された光も第１及び第２光路Ｄ、ｄを経由して照明範囲ｋに入射することになり、これによっても光の損失が低く抑えられる。
【００８３】
こうしてＬＥＤアレイ７１から出射された光は、導光部材７２もしくは反射板７３を介して、プラテンガラス４４又は原稿読取りガラス６５上の原稿ＭＳもしくは本の頁に照射される。そして、原稿ＭＳもしくは本の頁からの反射光は、スリットＳｔ（光の通過経路）を通過し、第１反射ミラー５２で反射され、この反射光が移動走査フレーム７４の側壁の開口部を通じて第２走査ユニット４６の第２反射ミラー５３へと出射される。
【００８４】
ここで、直接出射部７７は、この直接出射部７７の内側平坦面に入射した光を照明範囲ｋに集光して入射させることから、この直接出射部７７の内側平坦面の面積が広くなる程、この直接出射部７７から照明範囲ｋへと入射する光量が増大する。
【００８５】
同様に、間接出射部７８は、この間接出射部７８の内側平坦面に入射した光を照明範囲ｋに集光して入射させることから、この間接出射部７８の内側平坦面の面積が広くなる程、この間接出射部７８から照明範囲ｋへと入射する光量が増大する。
【００８６】
従って、直接出射部７７の内側平坦面の面積及び間接出射部７８の内側平坦面の面積をそれぞれ適宜に設定することにより、直接出射部７７を透過して照明範囲ｋへと入射する光量と間接出射部７８を透過し反射板７３の第１反射面７３ａで反射されて照明範囲ｋへと入射する光量との割合を調節することができる。
【００８７】
具体的には、ＬＥＤアレイ７１の光出射面７１ａを反射板７３側に向けていることから、ＬＥＤアレイ７１からの出射光の光量が反射板７３の向きで多くなっているが、ＬＥＤアレイ７１と反射板７３間に介在する間接出射部７８の面積を直接出射部７７の面積よりも小さくすることにより、間接出射部７８及び反射板７３の第１反射面７３ａを介して照明範囲ｋへと入射する光量と直接出射部７７を介して照明範囲ｋへと入射する光量との比を、例えば４：６〜５：５に設定することができる。また、先に述べたように原稿ＭＳの後端部ｍを前後方向からの光により照射して、原稿ＭＳの後端部ｍの影を生じさせないためには、第２光路ｄの入射光量と第１光路Ｄの入射光量との比を４．５：５．５程度に設定するのが好ましい。
【００８８】
次に、反射板７３を詳しく説明する。反射板７３は、先に述べたように照明ムラを抑えるべく、それぞれの光反射率もしくは光拡散状態を設定された複数の反射領域に区分されている。
【００８９】
図８（ａ）は、反射板７３を示す正面図である。図８（ａ）に示すように反射板７３の光反射面（第１及び第２反射面７３ａ、７３ｂを共に含む）は、複数の正反射領域７３−１及び複数の制御反射領域７３−２に区分されており、各正反射領域７３−１と各制御反射領域７３−２が交互に並べられ配置されている。
【００９０】
図８（ｂ）は、ＬＥＤアレイ７１の各ＬＥＤ７６を示す平面図であり、ＬＥＤアレイ７１の各ＬＥＤ７６の位置と図８（ａ）の反射板７３の光反射面における各正反射領域７３−１の位置及び各制御反射領域７３−２の位置との相関関係を明らかにしている。図８（ｂ）に示すように各正反射領域７３−１は、ＬＥＤアレイ７１の各ＬＥＤ７６の非対向位置、つまり各ＬＥＤ７６間のスペースの対向位置にある。また、各制御反射領域７３−２は、ＬＥＤアレイ７１の各ＬＥＤ７６の対向位置にある。
【００９１】
各正反射領域７３−１は、入射光を正反射する領域である。また、各制御反射領域７３−２は、それらの反射率が各正反射領域７３−１よりも低く設定された領域である。
【００９２】
各正反射領域７３−１では、反射板７３の光反射面の地がむき出しになっており、この光反射面と同等の一様な反射率を有する。例えば、反射板７３の光反射面が９０％の反射率を有するアルミニウム表面であるとすると、各正反射領域７３−１が９０％の反射率を有する。
【００９３】
各制御反射領域７３−２の反射率は、反射板７３の光反射面に黒色の樹脂等からなるパターンを印刷することにより設定される。例えば、図９に示すように複数の縦線を疎密に並べたパターンを印刷して、制御反射領域７３−２を形成する。この疎密のパターンにより、制御反射領域７３−２の反射率を、制御反射領域７３−２の中央で最も低く、制御反射領域７３−２の中央から離れるほど高く、制御反射領域７３−２の両側で正反射領域７３−１の反射率に近くなるように設定することができる。この場合、正反射領域７３−１と制御反射領域７３−２間では反射率が徐々に変化する。
【００９４】
尚、図９のパターンの代わりに、複数のドットを疎密に並べたパターン等を用いても構わない。
【００９５】
図１０（ａ）は、図８（ａ）と同様の反射板７３の光反射面における各正反射領域７３−１及び各制御反射領域７３−２を示し、図１０（ｂ）は、ＬＥＤアレイ７１の各ＬＥＤ７６を示し、図１０（ｃ）は、各ＬＥＤ７６から反射板７３の光反射面に入射した入射光量の主走査方向Ｘでの分布を示し、図１０（ｄ）は、反射板７３の光反射面で反射されてプラテンガラス４４及び原稿読取りガラス６５の表面における照射範囲ｋに入射した入射光量の主走査方向Ｘでの分布を示している。
【００９６】
図１０（ｃ）に示すように各ＬＥＤ７６から反射板７３の光反射面に入射した入射光量は、各ＬＥＤ７６の光軸７６ｂ上で最も高くなり、各ＬＥＤ７６の光軸７６ｂから離れるほど徐々に低くなって、各ＬＥＤ７６間を２分する位置で最も低くなるという波型パターンで変化する。
【００９７】
図１０（ａ）に示すように各ＬＥＤ７６の光軸７６ｂ上にそれぞれの制御反射領域７３−２の中央が重なることから、各制御反射領域７３−２のいずれについても、制御反射領域７３−２の中央で入射光量が最も高くなって、制御反射領域７３−２の中央から離れるほど入射光量が徐々に低くなるが、制御反射領域７３−２の中央で反射率が最も低く、制御反射領域７３−２の中央から離れるほど反射率が高くなるので、制御反射領域７３−２全体の反射光量が略一様になり、図１０（ｄ）に示すように制御反射領域７３−２で反射されて原稿の読取り基準位置に入射した光量も略一様になる。
【００９８】
また、図１０（ａ）に示すように各ＬＥＤ７６間のスペースの対向位置にそれぞれの正反射領域７３−１があり、各正反射領域７３−１が一様な反射率を有することから、図１０（ｃ）に示すような各ＬＥＤ７６から反射板７３の正反射領域７３−１に入射した入射光量の分布と、図１０（ｄ）に示すような正反射領域７３−１で反射されて原稿の読取り基準位置に入射した光量の分布とが略一致する。
【００９９】
従って、原稿の読取り基準位置における主走査方向Ｘの入射光量の分布は、図１０（ｄ）に示すように各制御反射領域７３−２からの入射光量と各正反射領域７３−１からの入射光量を交互に繰り返す分布となる。
【０１００】
従来のように反射板７３の光反射面を一様な反射率とした場合は、原稿の読取り基準位置における主走査方向Ｘの入射光量の分布が図１０（ｃ）に示すような分布となるので、図１０（ｃ）と（ｄ）の比較から、本実施形態の反射板７３により原稿の照明ムラが抑えられることが分かる。
【０１０１】
また、各正反射領域７３−１で反射された光については損失が殆どなく、光の損失が無駄に増大してはいない。
【０１０２】
次に、反射板７３の光反射面の第１変形例を説明する。図１１（ａ）は、第１変形例の反射板７３の光反射面における複数の第１制御反射領域８１及び複数の第２制御反射領８２を示し、図１１（ｂ）は、ＬＥＤアレイ７１の各ＬＥＤ７６を示し、図１１（ｃ）は、各ＬＥＤ７６から反射板７３の光反射面に入射した入射光量の主走査方向Ｘでの分布を示し、図１１（ｄ）は、反射板７３の光反射面で反射されてプラテンガラス４４及び原稿読取りガラス６５の表面における原稿の読取り基準位置に入射した入射光量の主走査方向Ｘでの分布を示している。
【０１０３】
この第１変形例の反射板７３の光反射面では、図１１（ａ）に示すように各第１制御反射領域８１と各第２制御反射領８２を交互に並べて配置している。
【０１０４】
各第１制御反射領域８１は、ＬＥＤアレイ７１の各ＬＥＤ７６の非対向位置、つまり各ＬＥＤ７６間のスペースの対向位置にある。また、各第２制御反射領域８２は、ＬＥＤアレイ７１の各ＬＥＤ７６の対向位置にある。
【０１０５】
第１制御反射領域８１の反射率は、一様でなく、第１制御反射領域８１の中央で最も高く（アルミニウム表面の反射率となる）、第１制御反射領域８１の中央から離れるほど低くなる。そして、第１及び第２制御反射領域８１、８２の反射率は、これらの境界で一致して滑らかにつながる。更に、第２制御反射領域８２の反射率も、一様でなく、第２制御反射領域８２の中央に近づくほど低くなり、第２制御反射領域８２の中央で最も低くなる。
【０１０６】
第１及び第２制御反射領域８１、８２の反射率は、図９に示すように複数の縦線を疎密に並べたパターンを印刷することにより設定することができる。
【０１０７】
図１１（ａ）に示すように各ＬＥＤ７６の光軸７６ｂ上にそれぞれの第２制御反射領域８２の中央が重なることから、各第２制御反射領域８２のいずれについても、第２制御反射領域８２の中央で入射光量が最も高くなって、第２制御反射領域８２の中央から離れるほど入射光量が徐々に低くなるが、第２制御反射領域８２の中央で反射率が最も低く、第２制御反射領域８２の中央から離れるほど反射率が高くなるので、第２制御反射領域８２全体の反射光量が略一様になり、図１１（ｄ）に示すように第２制御反射領域８２で反射されて原稿の読取り基準位置に入射した光量も略一様になる。
【０１０８】
また、図１１（ａ）に示すように各ＬＥＤ７６間のスペースの対向位置にそれぞれの第１制御反射領域８１があることから、各第１制御反射領域８１のいずれについても、第１制御反射領域８１の中央で入射光量が最も低くなって、第１制御反射領域８１の中央から離れるほど入射光量が徐々に高くなるが、第１制御反射領域８１の中央で反射率が最も高く、第１制御反射領域８１の中央から離れるほど反射率が低くなるので、第１制御反射領域８１全体の反射光量が略一様になり、図１１（ｄ）に示すように第１制御反射領域８１で反射されて原稿の読取り基準位置に入射した光量も略一様になる。
【０１０９】
更に、第１及び第２制御反射領域８１、８２の反射率がこれらの境界で一致して滑らかにつながるため、第１及び第２制御反射領域８１、８２の境界近傍で反射されて原稿の読取り基準位置に入射した光量が急激に変化することはない。
【０１１０】
従って、原稿の読取り基準位置における主走査方向Ｘの入射光量の分布は、図１１（ｄ）に示すように各第１制御反射領域８１からの入射光量と各第２制御反射領域８２からの入射光量を滑らかに連続させた分布となる。
【０１１１】
図１１（ｃ）と（ｄ）の比較から、第１変形例の反射板７３により原稿の照明ムラが抑えられることが分かる。また、第１制御反射領域８１については、照明ムラを抑えながらも、光の損失を低く抑えている。
【０１１２】
次に、反射板７３の光反射面の第２変形例を説明する。図１２（ａ）は、第２変形例の反射板７３の光反射面における複数の第１制御反射領域８３及び複数の第２制御反射領８４を示し、図１２（ｂ）は、ＬＥＤアレイ７１の各ＬＥＤ７６を示し、図１２（ｃ）は、各ＬＥＤ７６から反射板７３の光反射面に入射した入射光量の主走査方向Ｘでの分布を示し、図１２（ｄ）は、反射板７３の光反射面で反射されてプラテンガラス４４及び原稿読取りガラス６５の表面における原稿の読取り基準位置に入射した入射光量の主走査方向Ｘでの分布を示している。
【０１１３】
この第２変形例の反射板７３の光反射面では、図１２（ａ）に示すように各第１制御反射領域８３と各第２制御反射領８４を交互に並べ、各第１制御反射領域８３をＬＥＤアレイ７１の各ＬＥＤ７６の非対向位置に配置し、また各第２制御反射領域８４をＬＥＤアレイ７１の各ＬＥＤ７６の対向位置に配置している。
【０１１４】
第１制御反射領域８３の反射率は、第１変形例の第１制御反射領域８１と同様に、第１制御反射領域８３の中央で最も高く（アルミニウム表面の反射率となる）、第１制御反射領域８３の中央から離れるほど低くなるが、この中央から離れた箇所での反射率の低下の程度が第１変形例の第１制御反射領域８１よりも大きくなっている。そして、第１及び第２制御反射領域８３、８４の反射率は、これらの境界で一致し滑らかにつながる。更に、第２制御反射領域８４の反射率は、第２変形例の第２制御反射領域８２と同様に、第２制御反射領域８４の中央に近づくほど低くなり、第２制御反射領域８４の中央で最も低くなるが、この中央付近での反射率の低下の程度が第２変形例の第２制御反射領域８２よりも大きくなっている。
【０１１５】
第１及び第２制御反射領域８３、８４の反射率も、図９に示すように複数の縦線を疎密に並べたパターンを印刷することにより設定することができる。
【０１１６】
第１制御反射領域８３の反射率は、第１制御反射領域８３の中央で最も高く、第１制御反射領域８３の中央から離れるほど低くなるが、この中央から離れた箇所での反射率の低下の程度が第１変形例の第１制御反射領域８１よりも大きくなっていることから、図１２（ｄ）に示すように第１制御反射領域８３で反射されて原稿の読取り基準位置に入射した光量は、各ＬＥＤ７６間を２分する位置で最も高くなる。
【０１１７】
また、第２制御反射領域８４の反射率は、第２制御反射領域８４の中央に近づくほど低くなって、第２制御反射領域８４の中央で最も低くなり、しかも第２変形例の第２制御反射領域８２よりも反射率が大きく低下しているので、図１２（ｄ）に示すように第２制御反射領域８４で反射されて原稿の読取り基準位置に入射した光量は、ＬＥＤ７６の光軸上で最も低くなる。
【０１１８】
このため、原稿の読取り基準位置における主走査方向Ｘの入射光量の分布は、図１２（ｄ）に示すように各第１制御反射領域８１からの入射光量と各第２制御反射領域８２からの入射光量を交互に繰り返す分布であって、図１２（ｃ）に示す各ＬＥＤ７６から反射板７３の光反射面に入射した入射光量の分布を反転させたものとなる。
【０１１９】
ここで、直接出射部７７を介しての直線的な直接経路Ｄの光による照明では、直接経路Ｄが短いことから、各ＬＥＤ７６の輝点が原稿ＭＳの表面に映り易く、照明ムラが大きい。従って、図１３（ｃ）に示すように原稿の読取り基準位置における主走査方向Ｘの入射光量ｐは、各ＬＥＤ７６の光軸上で最も高く、各ＬＥＤ７６間を２分する位置で最も低くなる。
【０１２０】
このため、図１３（ｂ）（図１２（ｄ）と同じ）に示すような各ＬＥＤ７６から反射板７３の光反射面に入射した入射光量の分布を反転させてなる入射光量ｑを原稿の読取り基準位置に入射させると、図１３（ｃ）の入射光量ｐの低い部分が図１３（ｂ）の入射光量ｑの高い部分により補足されて、図１３（ａ）に示すように原稿の読取り基準位置に入射した光量が略一様になり、照明ムラが効果的に抑えられる。
【０１２１】
次に、反射板７３の光反射面の第３変形例を説明する。図１４（ａ）、（ｂ）、（ｃ）、及び（ｄ）は、第３変形例の反射板７３の光反射面における複数の正反射領域９１及び複数の制御反射領９２、ＬＥＤアレイ７１の各ＬＥＤ７６、各ＬＥＤ７６から反射板７３の光反射面に入射した入射光量の分布、及びプラテンガラス４４及び原稿読取りガラス６５の表面における原稿の読取り基準位置に入射した入射光量の主走査方向Ｘでの分布を示している。
【０１２２】
この第３変形例の反射板７３の光反射面では、図１４（ａ）に示すように各正反射領域９１と各制御反射領９２を交互に並べ、正制御反射領域９１をＬＥＤアレイ７１の各ＬＥＤ７６の非対向位置に配置し、また各制御反射領域９２をＬＥＤアレイ７１の各ＬＥＤ７６の対向位置に配置している。
【０１２３】
正反射領域９１の反射率は、一様であって、アルミニウム表面の反射率となる。この正反射領域９１では光が正反射されるので、正反射領域９１の光拡散の度合いが最も低くなる。
【０１２４】
また、制御反射領域９２は、その表面の反射率を一定にされていても、その表面を粗くされており、光を乱反射し、その光拡散の度合いを高くされている。この制御反射領域９２の光拡散の度合い、つまり制御反射領域９２の粗面の程度は、図１５（ａ）、（ｂ）の平面図及び断面図に示すようにエッチング処理又はサンドプラスト処理により設定される。また、制御反射領域９２の光拡散の度合いは、一様ではなく、制御反射領域９２の中央で最も高く、制御反射領域９の中央から離れるほど低くなり、制御反射領域９２の両側で正反射に近くなる。従って、正反射領域９１と制御反射領域９２間では光拡散の度合いが徐々に変化する。
【０１２５】
図１４（ａ）に示すように各ＬＥＤ７６の光軸７６ｂ上にそれぞれの制御反射領域９２の中央が重なることから、各制御反射領域９２のいずれについても、制御反射領域９２の中央で入射光量が最も高くなって、制御反射領域９２の中央から離れるほど入射光量が徐々に低くなるが、制御反射領域９２の中央で光拡散の度合いが最も高く、制御反射領域９２の中央から離れるほど光拡散の度合いが低くなるので、図１４（ｄ）に示すように制御反射領域９２で反射されて原稿の読取り基準位置に入射した光量が略一様になる。
【０１２６】
また、図１４（ａ）に示すように各ＬＥＤ７６間のスペースの対向位置にそれぞれの正反射領域９１があり、各正反射領域９１が一様な反射率を有することから、図１４（ｃ）に示すような正反射領域９１に対する入射光量の分布と、図１４（ｄ）に示すような正反射領域９１で反射されて原稿の読取り基準位置に入射した光量の分布とが略一致する。
【０１２７】
従って、原稿の読取り基準位置における主走査方向Ｘの入射光量の分布は、図１４（ｄ）に示すように各制御反射領域９２からの入射光量と各正反射領域９１からの入射光量を交互に繰り返す分布となる。
【０１２８】
図１４（ｃ）と（ｄ）の比較から、第３変形例の反射板７３により原稿の照明ムラが抑えられることが分かる。また、各正反射領域９１で反射された光については損失が殆どなく、光の損失が無駄に増大してはいない。
【０１２９】
尚、光拡散の度合いの設定によっても、図１１、図１２、及び図１３に示すような反射板７３の光反射面から原稿の読取り基準位置への入射光量の設定が可能である。
【０１３０】
また、光拡散の度合いは、反射板７３の光反射面のエッチング処理又はサンドプラスト処理だけではなく、透光性樹脂を用いて、図９に示すような複数の縦線を疎密に並べたパターンあるいは複数のドットを疎密に並べたパターン等を反射板７３の光反射面に印刷することによっても設定することができる。
【０１３１】
更に、反射板７３の光反射面の反射率及び光拡散の度合いを共に設定して、制御反射領域を形成しても構わない。
【符号の説明】
【０１３２】
１  レーザ露光装置
２  現像装置
３  感光体ドラム
４  クリーナ装置
５  帯電器
８  中間転写ベルト装置
１０  給紙トレイ
１１  ２次転写装置
１２  定着装置
４１  画像読取り装置
４２  原稿搬送装置
４４  プラテンガラス
４５  第１走査ユニット
４６  第２走査ユニット
４７  結像レンズ
４８  ＣＣＤ（Charge Coupled Device）
５１  照明装置
５２  第１反射ミラー
５３  第２反射ミラー
５４  第３反射ミラー
６５  原稿読取りガラス
７１  ＬＥＤアレイ
７２  導光部材
７３  反射板
７３−１、９１  正反射領域
７３−２、９２  制御反射領域
７４  移動フレーム
７５  基板
７６  ＬＥＤ
７７  直接出射部
７８  間接出射部
８１、８３  第１制御反射領域
８２、８４  第２制御反射領域
１００  画像形成装置
【図１】
2011151477.tif 000003
【図２】
2011151477.tif 000004
【図３】
2011151477.tif 000005
【図４】
2011151477.tif 000006
【図５】
2011151477.tif 000007
【図６】
2011151477.tif 000008
【図７】
2011151477.tif 000009
【図８】
2011151477.tif 000010
【図９】
2011151477.tif 000011
【図１０】
2011151477.tif 000012
【図１１】
2011151477.tif 000013
【図１２】
2011151477.tif 000014
【図１３】
2011151477.tif 000015
【図１４】
2011151477.tif 000016
【図１５】
2011151477.tif 000017